(57)【要約】      （修正有）【課題】ボールジョイント装置に対するボールエンドの締結及び解除が容易なボールジョイント装置を提供する。【解決手段】コントロールレバーのボールエンド４００に連結されるボールジョイント装置１０において、中空円筒形ボディ部を有するように形成され、ボディ部の一端部から長手方向に少なくとも一対のスロットが形成され、ボディ部の一端部においてコントロールレバーのボールエンド４００を収容するようにボディ部により規定された収容部及びボディ部の外周面上から突出したストッパを含むボールシート１００と、変速ケーブルに連結され、ボールシート１００と締結されるケーブルエンド部２００と、を含み、ボールシート１００のストッパは、ケーブルエンド部２００に締結される。【選択図】図１
2019124354.tif 000002
【特許請求の範囲】
【請求項１】
コントロールレバーのボールエンドに連結されるボールジョイント装置において、
中空円筒形ボディ部を有するように形成され、前記ボディ部の一端部から長手方向に少なくとも一対のスロットが形成され、前記ボディ部の一端部において前記コントロールレバーのボールエンドを収容するように前記ボディ部により規定された収容部及び前記ボディ部の外周面上から突出したストッパを含むボールシートと、
変速ケーブルに連結され、前記ボールシートと締結されるケーブルエンド部と、
を含み、
前記ボールシートのストッパは、前記ケーブルエンド部に締結される、ボールジョイント装置。
【請求項２】
前記ケーブルエンドは、
前記ボールシートが安着する安着部と、
前記安着部から垂直に延びて形成され、前記ストッパが係止する第１開口部を有する第１支持部と、
前記安着部から垂直に延びて形成され、前記ボールシートを支持する第２支持部と、を含む、請求項１に記載のボールジョイント装置。
【請求項３】
前記第１支持部は、前記第１支持部の上面から前記第１開口部までテーパするように形成された、請求項２に記載のボールジョイント装置。
【請求項４】
前記ボールシートのボディ部の外周面と前記ケーブルエンド部との間に位置する弾性部材をさらに含み、
前記第２支持部は、前記ボールシートと前記ケーブルエンド部とが締結される時、前記ボールシートの前記ボディ部の外周面上において前記弾性部材を拘束する係止部を含む、請求項２に記載のボールジョイント装置。
【請求項５】
前記第２支持部は、第２開口部を有する、請求項２に記載のボールジョイント装置。
【請求項６】
前記ボールシートのボディ部の外周面と前記ケーブルエンド部との間に位置する弾性部材をさらに含む、請求項１に記載のボールジョイント装置。
【請求項７】
前記弾性部材は、スプリング部材及びゴム部材のいずれか一つである、請求項６に記載のボールジョイント装置。
【請求項８】
前記ボールシートは、前記ボディ部の他端部に形成され、前記ボールシートのボディ部より大径を有する把手部をさらに含む、請求項７に記載されたボールジョイント装置。
【請求項９】
前記把手部は、ねじ山が形成された外周面を有する、請求項８に記載のボールジョイント装置。
【請求項１０】
前記ボールシートの前記収容部は、前記ボールエンドに対応した形状を有する、請求項１に記載のボールジョイント装置。
【請求項１１】
前記ボディ部は、前記収容部を規定する前記ボディ部の外周面に沿って形成された溝をさらに含む、請求項１に記載のボールジョイント装置。
【請求項１２】
前記ボールシートは、前記ボディ部の外周面から垂直に外側に延びたフランジ部をさらに含む、請求項１に記載のボールジョイント装置。
【発明の詳細な説明】
【技術分野】
【０００１】
本発明は、ボールジョイント装置に関するもので、より詳しくは、車両のコントロールレバーのボールエンドに連結されるボールジョイント装置に関する。
【背景技術】
【０００２】
自動車の変速装置は、方向転換装置のハンドルのように、ドライバーが直接変速を行えるようにした装置である。この変速装置には、ドライバーが容易に操作できるように運転席の側方または前方に露出する変速レバーが連設されている。
【０００３】
車内でドライバーが変速レバーを操作することになれば、その変速レバーと変速装置との間の動力伝達が変速ケーブルを通じてなされることにより、変速状態の変換がなされることになり、その変速された状態に該当する電気的な信号に基づいて、エンジン等の車両の走行及び装置に必要な部品が作動することになる。
【０００４】
したがって、変速レバーは、変速ケーブルに締結される構造を有する。変速レバーは、変速ケーブルに締結・解除が容易なようにボールエンドを有し得る。ボール形状を適用したエンド変速レバーは、変速時に発生する相対位相運動をケーブルエンドが同一の位相運動に変速を伝達することで変速開始初期には円滑感が増大し、小さい力の操作力でも円滑な変速操作がなされるので、確実な操作感を付与することができる。例えば、韓国公開特許公報１０−２０１２−０１３３５３７号、韓国公開特許公報１０−２０１２−００９８８１４号、韓国公開特許公報１０−２０１５−００５６６５８号にボールエンドのためのボールジョイント装置が開示されている。
【０００５】
このような従来技術では、ボールエンドがボールジョイント装置に締結するのは容易であるが、ボールエンドがボールジョイント装置から解除される際に別途道具を使用したり、締結後にボールエンドを解除または脱去する際には解除操作方向と反対方向であったりするため、ボールエンドの解除が容易でないという問題点があった。
【０００６】
したがって、別途の部材を用いることなしに、容易にコントロールレバーのボールエンドがボールジョイント装置に締結されたり、ボールジョイント装置から解除されたりできるボールジョイント装置に対する要求があった。
【先行技術文献】
【特許文献】
【０００７】
【特許文献１】韓国公開特許第１０−２０１２−０１３３５３７号公報
【特許文献２】韓国公開特許第１０−２０１２−００９８８１４号公報
【特許文献３】韓国公開特許第１０−２０１５−００５６６５８号公報
【発明の概要】
【発明が解決しようとする課題】
【０００８】
本発明は、ボールジョイント装置に対するボールエンドの締結及び解除が容易なボールジョイント装置を提供する。
【課題を解決するための手段】
【０００９】
本発明の実施形態による、コントロールレバーのボールエンドに連結されるボールジョイント装置は、中空円筒形ボディ部を有するように形成され、前記ボディ部の一端部から長手方向に少なくとも一対のスロットが形成され、前記ボディ部の一端部において前記コントロールレバーのボールエンドを収容するように前記ボディ部により規定された収容部及び前記ボディ部の外周面上から突出したストッパを含むボールシートと、変速ケーブルに連結され、前記ボールシートと締結されるケーブルエンド部と、を含み、前記ボールシートのストッパは、前記ケーブルエンド部に締結される。
【００１０】
前記ケーブルエンドは、前記ボールシートが安着する安着部と、前記安着部から垂直に延びて形成され、前記ストッパが係止する第１開口部を有する第１支持部と、前記安着部から垂直に延びて形成され、前記ボールシートを支持する第２支持部と、を含んでもよい。
【００１１】
前記第１支持部は、前記第１支持部の上面から前記第１開口部までテーパするように形成されてもよい。
【００１２】
前記ボールジョイント装置は、前記ボールシートのボディ部の外周面と前記ケーブルエンド部との間に位置する弾性部材をさらに含み、前記第２支持部は、前記ボールシートと前記ケーブルエンド部とが締結される時、前記ボールシートの前記ボディ部の外周面上において前記弾性部材を拘束する係止部を含んでもよい。
【００１３】
前記第２支持部は、第２開口部を有してもよい。
【００１４】
前記ボールジョイント装置は、前記ボールシートのボディ部の外周面と前記ケーブルエンド部との間に位置する弾性部材をさらに含んでもよい。
【００１５】
前記弾性部材は、スプリング部材及びゴム部材のいずれか一つであってもよい。
【００１６】
前記ボールシートは、前記ボディ部の他端部に形成され、前記ボールシートのボディ部より大径を有する把手部をさらに含んでもよい。
【００１７】
前記把手部は、ねじ山が形成された外周面を有してもよい。
【００１８】
前記ボールシートの前記収容部は、前記ボールエンドに対応した形状を有してもよい。
【００１９】
前記ボディ部は、前記収容部を規定する前記ボディ部の外周面に沿って形成された溝をさらに含んでもよい。
【００２０】
前記ボールシートは、前記ボディ部の外周面から垂直に外側に延びたフランジ部をさらに含んでもよい。
【発明の効果】
【００２１】
本発明によると、ボールジョイント装置に対するボールエンドの締結及び解除が容易なボールジョイント装置を提供することができる。
【００２２】
また、本発明によると、変速ケーブルがボールエンドに締結された状態で反復的な作動（ギア変速）をする場合、ボールシートが回転をするため、固定型ボールシートとは異なって偏摩耗が発生しにくいため、優れた耐久性を呈する。
【００２３】
また、本発明の実施形態は、別途の部材を用いなくても、剛性を確保できるという長所がある。
【図面の簡単な説明】
【００２４】
【図１】実施形態によるボールジョイント装置の斜視図である。
【図２】実施形態によるボールジョイント装置の分解図である。
【図３】図２のボールシートの斜視図である。
【図４】図３のボールシートを下側から見た図面である。
【図５】図２のケーブルエンド部の斜視図である。
【図６】本発明の一実施形態によるボールジョイント装置において、弾性部材が弾性変形した時の断面図を示す。
【図７】図６のボールジョイント装置において、弾性部材が弾性復元された時の断面図を示す。
【図８】図６のボールジョイント装置の断面斜視図である。
【発明を実施するための形態】
【００２５】
以下、添付された図面を参照して本発明について詳細に説明する。本発明の構成要素のうち、従来技術により当業者が明確に把握でき且つ容易に再現できることに関しては、本発明の要旨をぼかさないために、その具体的な説明を省略することにする。
【００２６】
＜実施形態＞
以下では、まず、図１〜図８を参照して実施形態によるボールジョイント装置１０を説明することにする。
【００２７】
図１は、実施形態によるボールジョイント装置の斜視図であり、図２は、実施形態によるボールジョイント装置の分解図である。
【００２８】
図１及び図２を参照すると、実施形態によるボールジョイント装置１０は、変速レバーを変速ケーブルまたはコントロールケーブルに連結させる。ボールジョイント装置１０は、ドライバーが変速レバーを操作することになれば、その変速レバーからの動力を変速ケーブルに伝達できるようになる。
【００２９】
具体的に、ボールジョイント装置１０は、変速ケーブルを変速レバー（図示省略）のボールエンド４００に連結させる。
【００３０】
これのため、ボールジョイント装置１０は、変速レバーのボールエンド４００と締結されるボールシート１００及び変速ケーブルのケーブルエンド部２００を含む。ボールシート１００は、ケーブルエンド部２００と締結される。
【００３１】
また、ボールジョイント装置１０は、ボールシート１００とケーブルエンド部２００との間に位置する弾性部材６００をさらに含んでもよい。弾性部材６００は、ボールシート１００とケーブルエンド部２００との間に位置する。弾性部材６００は断面が円形や角形の線材をコイル状に巻いて作ったスプリング（spring）であってもよい。ここで、弾性部材６００はスプリングに限定されるわけではなく、ボールシート１００の移動に従って弾性変形されてから復元され得るすべての部材を含む。例えば、弾性部材はゴム部材であってもよい。弾性部材６００がスプリングである場合、ボールシート１００の外周面上に巻かれる。
【００３２】
<ボールシート１００>
図３及び図４は、図２に示されたボールシート１００を示した図面である。具体的に、図３はボールシートの斜視図であり、図４はボールシートを下側からみた図面である。
【００３３】
図３及び図４を参照すると、ボールシート１００は、中空（hollow）円筒形のボディ部１１０を有するように形成される。すなわち、ボールシート１００のボディ部１１０は、その中心部分にキャビティ１０２を有する。ボディ部１１０には、その一端部から長手方向に少なくとも一対のスロット１１２が形成されている。本実施形態において、一対のスロット１１２がボディ部１１０に形成されたもので示されているが、他の個数のスロットが形成されてもよい。例えば、３つのスロットが形成されてもよい。スロットは、ボディ部１１０の外周面に沿って均等な間隔で位置してもよい。
【００３４】
ボディ部１１０は、収容部１５０、一対のストッパ１２０、把手部１４０、及びフランジ部１３０を含む。
【００３５】
収容部１５０は、前記ボディ部１１０の一端部において前記コントロールレバーのボールエンド４００を収容するようにボディ部１１０によって規定されている。前記ボールシート１００の収容部１５０にはボールエンド４００が挿入されて収容される。ボールエンド４００は球形形状を有する。収容部１５０は、前記ボールエンド４００に対応した形状を有している。ボールエンド４００が挿入される収容部１５０の入口は円形の形状を有する。したがって、収容部１５０の入口はボールエンド４００の直径より小さい。また、収容部１５０の側面は、ボールエンド４００の球形形状に対応する曲面形状を有する。このような収容部１５０を規定するボディ部１１０には、その外周面に沿って溝１１４が形成されている。この溝１１４は、ボールエンド４００が収容部１５０に挿入される場合、ボールエンド４００の収容部１５０への挿入を容易にする。
【００３６】
ボールエンド４００は、ボディ部１１０の収容部１５０が形成された端部側からボディ部１１０に挿入される。ボディ部１１０のスロットは、ボールエンド４００がボディ部１１０の収容部１５０に挿入される時、ボディ部１１０が容易に変形され得るようにする。
【００３７】
一対のストッパ１２０は、前記ボディ部１１０の外周面上から互いに対向する方向に突出して形成されている。
【００３８】
ボールシート１００とケーブルエンド部２００が結合される時、一対のストッパ１２０はケーブルエンド部２００に締結される。例えば、ストッパ１２０は、ケーブルエンド部２００に形成された開口部に挿入されてボールシート１００がケーブルエンド部２００から分離するのを防止する。
【００３９】
ボールシート１００がケーブルエンド部２００上に安着すると、一対のストッパ１２０はケーブルエンド部２００に形成された開口部に挿入されるので、ボールシート１００は所定のストローク内でスライディングすることになる。
【００４０】
把手部１４０は前記ボディ部１１０の他端部に形成され、前記ボールシート１００のボディ部１１０よりも大径である。前記把手部１４０は、その外周面にねじ山が形成されている。把手部１４０は、ボールエンド４００をボールジョイント装置１０から分離または解除する際にボールシート１００を作業者が掴めるようにする。把手部１４０の外部面上にねじ山が形成されているため、ボールエンド４００をボールジョイント装置１０から分離または解除する際に作業者の手がボールシート１００から滑るのを防止することができる。
【００４１】
把手部１４０は、把手部１４０の外周面から前記ボディ部１１０の外周面に連結された部分に傾斜部１４２を有してもよい。
【００４２】
フランジ部１３０は、前記ボディ部１１０の外周面から垂直に外側に延びて形成されている。ボールシート１００とケーブルエンド部２００が結合された場合、フランジ部１３０はボールシート１００とケーブルエンド部２００との間に位置する弾性部材６００を支持する。それにより、ボールシート１００とケーブルエンド部２００との間に位置する弾性部材６００は、ボールシート１００の外周面上において支持されてもよい。言い換えれば、前記フランジ部１３０は前記弾性部材６００を支持し、圧力により弾性部材６００が弾性的に変形され得るようにする。
【００４３】
例えば、弾性部材６００は、スプリングである場合、スプリング６００が圧力により圧縮変形される時、フランジ部１３０は前記弾性部材６００を圧力に対して支持して圧縮変形され得るようにする。
【００４４】
<ケーブルエンド部２００>
図５は、図２のケーブルエンド部の斜視図である。図５を参照すると、ケーブルエンド部２００は変速ケーブルに連結され、前述したボールシート１００と締結される。
【００４５】
前記ケーブルエンド部２００は、安着部２０２、第１支持部２１０、及び第２支持部２２０を含む。
【００４６】
安着部２０２は、前記ボールシート１００が安着する部分である。具体的に、安着部２０２は、ボールシート１００のボディ部１１０が載置される部分である。
【００４７】
第１支持部２１０は、前記安着部２０２から垂直に延びて形成され、前記ストッパ１２０が係止する第１開口部２１２を含む。ボールシート１００がケーブルエンド部２００と締結されれば、ボールシート１００のストッパ１２０が第１支持部２１０の第１開口部２１２に挿入される。それにより、ボールシート１００がケーブルエンド部２００と締結されると、ボールシート１００は第１開口部２１２により規定された一定のストローク内でスライディングすることになる。
【００４８】
この場合、ボールシート１００の外周面上に弾性部材６００が位置すれば、ボールシート１００は圧力によって弾性変形されてから、圧力がなくなれば、第１開口部２１２により規定された一定のストローク内で元の状態に復元される。
【００４９】
第１支持部２１０は、前記第１支持部２１０の上面から前記第１開口部２１２までテーパ２１４するように形成されている。第１支持部２１０は、図５では２つで示したが必ずしもこれに限定されるわけではない。
【００５０】
第２支持部２２０は、安着部２０２から垂直に延長して形成される。第２支持部２２０は安着部２０２に載置されたボールシート１００を支持する。また、第２支持部２２０は、前記ボールシート１００と前記ケーブルエンド部２００が締結される時、前記ボールシート１００の前記ボディ部１１０の外周面上において前記弾性部材６００を拘束する係止部２２２を含む。
【００５１】
具体的に、ボールシート１００がケーブルエンド部２００と締結されれば、弾性部材６００がボールシート１００の前記ボディ部１１０の外周面上において係止部２２２により拘束されてボールシート１００から分離しない。
【００５２】
第２支持部２２０は、第２開口部２２４を有してもよい。本実施形態では、第２支持部２２０が第２開口部を有するが、第２開口部２２４を有しなくてもよい。
【００５３】
また、第２支持部２２０は、図５では４つで示したが、必ずしもこれに限定されるわけではない。例えば、第２支持部２２０は２つであってもよい。この場合、２つの第２支持部２２０は、対向する位置に配置されるのが好ましい。
【００５４】
図６〜図８は、本発明の一実施形態によるボールジョイント装置のボールシートとケーブルエンド部の締結及びその動作を説明するための図面である。図６は、本発明の一実施形態によるボールジョイント装置において弾性部材が弾性変形された時の断面図を示し、図７は、図６のボールジョイント装置において弾性部材が弾性復元された時の断面図を示す。図８は、図６のボールジョイント装置の断面斜視図である。
【００５５】
図７を参照すると、ボールエンド４００が収容部１５０に挿入される時、ボールエンド４００は収容部１５０の入口に対して付勢される。この場合、ボールエンド４００が収容部１５０内に完全に収容される前にボールエンド４００が収容部１５０の入口に挟持される。この状態で、ボールエンド４００を収容部１５０に向かって続けて押圧すれば、ボールシート１００のボディ部１１０がボールエンド４００の挿入方向に押圧されることになり、ボールシート１００のボディ部１１０がストッパ１２０により第１開口部２１０に係止して、これ以上押圧されなくなる。
【００５６】
そして、ボディ部１１０の外周面上に設置された弾性部材６００が、ボールエンド４００の挿入方向に加えられた圧力によって上部に押圧するボールシート１００のボディ部１１０により圧縮変形される。前述したように、弾性部材６００は、第２支持部２２０に形成された係止部２２２によりボールシート１００から分離せずに固定される。
【００５７】
この時、ボールシート１００のボディ部１１０がストッパ１２０によりこれ以上押圧されなくなれば、ボールエンド４００に加えられた圧力がボールシート１００に対して反作用し、ボールエンド４００がボールシート１００のボディ部１１０の収容部１５０に挿入される。
【００５８】
続いて、図８を参照すると、ボールエンド４００に加えられた圧力がなくなれば、弾性部材６００は弾性復元される。それにより、弾性部材６００は、一側においてボディ部１１０の第２支持部２２０の係止部２２２によって支持され、他側においてボールシート１００のボディ部１１０のフランジ部１３０によって支持される。
【００５９】
この場合、弾性部材６００は、ボールエンド４００の挿入方向に対向する方向に弾性復元されるので、ボールシート１００のボディ部１１０は再びボールエンド４００の挿入方向に対向する方向に押圧されることになる。ストッパ１２０の下部が前記ボディ部１１０の第１支持部２１０の第１開口部２１２内において下部にスライディングする。
【００６０】
このように、本発明によれば、変速ケーブルがボールエンドに締結された状態で反復的な作動（ギア変速）をする場合、ボールシートが回転をするため、固定型ボールシートとは異なって偏摩耗が発生せず、優れた耐久性を呈する。
【００６１】
以上で、実施形態に説明された特徴、構造、効果などは、本発明の少なくとも一つの実施形態に含まれ、必ずしも一つの実施形態にのみ限定されるわけではない。さらに、各実施形態において例示された特徴、構造、効果などは、実施形態が属する分野の通常の知識を有する者によって、他の実施形態に対しても組み合わせ又は変形されて実施可能である。したがって、このような組み合わせと変形に関する内容は、本発明の範囲に含まれるものと解釈されるべきである。
【００６２】
また、以上で実施形態を中心に説明したが、これは単に例示に過ぎず、本発明を限定するわけではなく、本発明が属する分野の通常の知識を有する者であれば、本実施形態の本質的な特性を外れない範囲において、以上に例示されない様々な変形と応用が可能であることが分かるはずである。すなわち、実施形態に具体的に示された各構成要素は、変形して実施することができるものである。そして、このような変形と応用に関する相違点は、添付の請求の範囲において規定する本発明の範囲に含まれると解釈されるべきである。
【符号の説明】
【００６３】
１０      ボールジョイント装置
１００    ボールシート
２００    ケーブルエンド部
４００    ボールエンド
６００    弾性部材
【図１】
2019124354.tif 000003
【図２】
2019124354.tif 000004
【図３】
2019124354.tif 000005
【図４】
2019124354.tif 000006
【図５】
2019124354.tif 000007
【図６】
2019124354.tif 000008
【図７】
2019124354.tif 000009
【図８】
2019124354.tif 000010